(57)【要約】【課題】簡易な構成にてダイオードの温度補償を行うことができる検波回路を提供すること。【解決手段】入力信号を検波するダイオード４と、一端がダイオード４のアノードに接続される抵抗５と、一端が抵抗５の他端に接続される抵抗９と、アノードが抵抗９の他端に接続されるダイオード１０と、を備え、抵抗５および抵抗９を介してダイオード４およびダイオード１０にリファレンス信号を印加し、ダイオード４のカソードの出力とダイオード１０のカソードの出力との差分を検波出力とする。【選択図】        図１
2010263357.tif 000002
【特許請求の範囲】
【請求項１】
入力信号を検波する検波ダイオードと、
一端が前記検波ダイオードのアノードに接続される第１の抵抗と、
一端が前記第１の抵抗の他端に接続される第２の抵抗と、
アノードが前記第２の抵抗の他端に接続される温度補償ダイオードと、
を備え、
前記第１の抵抗および第２の抵抗を介して前記検波ダイオードおよび前記温度補償ダイオードにリファレンス信号を印加し、前記検波ダイオードのカソードの出力と前記温度補償ダイオードのカソードの出力との差分を検波出力とすることを特徴とする検波回路。
【請求項２】
入力端子と、
前記入力端子からの信号を検波する検波ダイオードと、
一端が前記検波ダイオードのアノードに接続される第１の抵抗と、
前記検波ダイオードのカソードに接続される第１の出力端子と、
一端が前記第１の抵抗の他端に接続される第２の抵抗と、
アノードが前記第２の抵抗の他端に接続される温度補償ダイオードと、
前記温度補償ダイオードのカソードに接続される第２の出力端子と、
前記第１の抵抗と前記第２の抵抗との接続部に接続され、リファレンス信号が印加されるリファレンス端子と、
を備え、
前記リファレンス端子を通じてリファレンス信号を印加し、前記第１の出力端子の出力と前記第２の出力端子の出力との差分を検波出力とすることを特徴とする検波回路。
【請求項３】
前記第１の抵抗と前記第２の抵抗とが同様な温度特性を有する素子で構成されていることを特徴とする請求項１または２に記載の検波回路。
【発明の詳細な説明】
【技術分野】
【０００１】
本発明は、ダイオードを用いた検波回路に関する。
【背景技術】
【０００２】
ダイオードを用いた検波回路として、下記特許文献１に示されたものがある。この特許文献１の検波回路では、検波ダイオードと同一の検波特性を有する温度補償用検波ダイオードを、信号入力端子から見て並列になるように接続し、検波ダイオードおよび温度補償用検波ダイオードを、互いに同一の抵抗値および温度特性を有する抵抗をそれぞれ用いて、同一のバイアス電流にて順方向バイアスすると共に、演算増幅器により温度補償を施すようにしている。
【先行技術文献】
【特許文献】
【０００３】
【特許文献１】特開２０００−２２４４７号公報
【発明の概要】
【発明が解決しようとする課題】
【０００４】
しかしながら、上記特許文献１の検波回路では、温度補償を施す演算増幅器が必須の構成要件となるため、回路規模が増大し、部品点数も多くなるという課題がある。
【０００５】
本発明は、上記に鑑みてなされたものであって、簡易な構成にてダイオードの温度補償を行うことができる検波回路を提供することを目的とする。
【課題を解決するための手段】
【０００６】
上述した課題を解決し、目的を達成するため、本発明にかかる検波回路は、入力信号を検波する検波ダイオードと、一端が前記検波ダイオードのアノードに接続される第１の抵抗と、一端が前記第１の抵抗の他端に接続される第２の抵抗と、アノードが前記第２の抵抗の他端に接続される温度補償ダイオードと、を備え、前記第１の抵抗および第２の抵抗を介して前記検波ダイオードおよび前記温度補償ダイオードにリファレンス信号を印加し、前記検波ダイオードのカソードの出力と前記温度補償ダイオードのカソードの出力との差分を検波出力とすることを特徴とする。
【発明の効果】
【０００７】
本発明にかかる検波回路によれば、温度補償を簡易な構成にて実現することができるという効果が得られる。
【図面の簡単な説明】
【０００８】
【図１】図１は、本発明の実施の形態にかかる検波回路の回路図である。
【図２】図２は、実施の形態１の検波回路におけるＲＦ信号入力時の等価回路図である。
【図３】図３は、本実施の形態の検波回路における検波出力の一例を示す図である。
【発明を実施するための形態】
【０００９】
以下に添付図面を参照して、本発明にかかる検波回路の実施の形態を詳細に説明する。なお、以下に示す実施の形態により本発明が限定されるものではない。
【００１０】
＜実施の形態＞
図１は、本発明の実施の形態にかかる検波回路の回路図である。同図において、本実施の形態の検波回路は、入力端子１ａもしくは入力端子１ｂから入力されたマイクロ波やミリ波帯のＲＦ（Radio Frequency）信号を検波する検波回路８および温度補償の機能を有する温度補償回路１４を備えて構成される。また、検波回路８は、抵抗２、キャパシタ３、ダイオード４、および抵抗５を備えて構成され、温度補償回路１４は、抵抗９およびダイオード１０を備えて構成される。なお、ダイオード４は検波用のダイオードであり、ダイオード１０は、温度補償用のダイオードである。
【００１１】
検波回路８では、抵抗２、キャパシタ３およびダイオード４が直列に接続され、抵抗２の一端は、入力端子１ａからのＲＦ信号を検波回路８に導くＲＦ線路１２と入力端子１ｂからのＲＦ信号を検波回路８に導くＲＦ線路１３との接続部に接続され、抵抗５の一端は、ダイオード４のカソードに接続され、ダイオード４のアノードは、出力端子６を構成し、抵抗５の他端は、リファレンス端子７を構成する。なお、抵抗２は、検波回路８に入力するＲＦ信号の大きさを決定する要素であり、ＲＦ信号を減衰させる必要がない場合には、省略しても構わない。
【００１２】
また、温度補償回路１４では、抵抗９およびダイオード１０が直列に接続され、ダイオード４のアノードは、出力端子１１を構成し、抵抗９の一端（ダイオード１０のアノードに接続されていない側の端）は、リファレンス端子７に接続されている。
【００１３】
本実施の形態の検波回路は上記のように構成され、出力端子６は、本実施の形態の検波回路における第１の出力端子（Ｖｏｕｔ１）を成し、出力端子１１は、本実施の形態の検波回路における第２の出力端子（Ｖｏｕｔ２）を成す。
【００１４】
つぎに、実施の形態１にかかる検波回路の動作について図２を参照して説明する。なお、図２は、実施の形態１の検波回路におけるＲＦ信号入力時の等価回路図である。
【００１５】
入力端子１ａもしくは入力端子１ｂより入力され、抵抗２によって決定される結合量で減衰したＲＦ信号は、ダイオード４にて検波され、出力端子６を通じて出力される。なお、このＲＦ信号は、温度補償用のダイオード１０にも入力されるが、ダイオード１０の順方向抵抗は抵抗５および抵抗９の直列抵抗よりも遙かに小さいため、出力端子６を通じて出力されるＲＦ信号成分は小さく殆ど無視してよい。
【００１６】
また、リファレンス端子７より入力されたリファレンス信号（例えば、ＤＣ電圧）は、抵抗５を介してダイオード４に印加されると共に、抵抗９を介してダイオード１０にも印加される。ここで、周囲温度の変化によりダイオード４の温度特性が変化する場合、その温度特性の変化の影響は出力端子６に現れる。一方、ダイオード４の温度特性が変化する場合、ダイオード１０の温度特性も同様に変化するので、当該温度特性の変化の影響も出力端子１１に現れる。特に、ダイオード４とダイオード１０の温度特性が等しい場合、その影響は出力端子６と出力端子１１とでほぼ同等になる。なお、抵抗５と抵抗９の抵抗値が等しく、その温度特性も同等であれば、より好ましい方向に作用する。
【００１７】
ここで、出力端子６からの出力Ｖｏｕｔ１にはＲＦ信号とＤＣ成分とが含まれ、出力端子１１からの出力Ｖｏｕｔ２にはＤＣ成分のみが含まれるので、出力Ｖｏｕｔ１と出力Ｖｏｕｔ２との差分（Ｖｏｕｔ２−Ｖｏｕｔ１）を検波回路の出力とすれば、所望のＲＦ電力のみを検出することができる。
【００１８】
図３は、本実施の形態の検波回路における検波出力の一例を示す図であり、入力端子１ａ、１ｂからのＲＦ入力電力（Ｐｒｆ）に対する検波出力電圧（Ｖｏｕｔ）の関係として示している。図３において、破線で示す曲線が検波出力Ｖｏｕｔ１であり、実線で示す曲線がＲＦ検波分の出力であるＶｏｕｔ１−Ｖｏｕｔ２である。検波出力Ｖｏｕｔ１から、周囲温度に起因するダイオード４の温度特性による影響を含むＶｏｕｔ２を差し引くことによってＲＦ検波分のみを検出する。
【００１９】
このように、本実施の形態の検波回路では、抵抗５および抵抗９を介して検波ダイオードであるダイオード４および温度補償ダイオードであるダイオード１０にリファレンス信号を印加し、ダイオード４のカソードの出力とダイオード１０のカソードの出力との差分を検波出力としているので、温度補償用の演算増幅器などを用いることがなく、簡易な構成にてダイオードの温度補償を行うことが可能となる。
【産業上の利用可能性】
【００２０】
以上のように、本発明にかかる検波回路は、簡易な構成にてダイオードの温度補償を可能とする発明として有用である。
【符号の説明】
【００２１】
１ａ，１ｂ  入力端子
２，５，９  抵抗
３  キャパシタ
４  ダイオード
６，１１  出力端子
７  リファレンス端子
８  検波回路
１０  ダイオード
１２，１３  ＲＦ線路
１４  温度補償回路
【図１】
2010263357.tif 000003
【図２】
2010263357.tif 000004
【図３】
2010263357.tif 000005